(57)【要約】      （修正有）【課題】自立鍋蓋から落ちる水滴等を受ける自立鍋蓋専用の受け皿を提供する。【解決手段】自立鍋蓋用受け皿Ｘとして、細長い皿状の本体部１０と、前記本体部１０上面の長手方向に沿って形成される、上部が前記本体部１０の長手方向と交わる方向に向かって傾斜するように形成された傾斜部２０とから構成する。傾斜部２０上部には上面又は上縁が傾斜するように形成された突起を、前記傾斜部の長手方向に沿って複数配置するように形成することが望ましく、前記本体部１０の長手方向に沿った少なくとも一端側に上方に立ち上がった、上縁に切り欠きが形成された壁部３０を設けるようにすることもできる。【選択図】図１
0003195213.tif 000002
【実用新案登録請求の範囲】
【請求項１】
細長い皿状の本体部と、
前記本体部上面の長手方向に沿って形成される、上部が前記本体部の長手方向と交わる方向に向かって傾斜するように形成された傾斜部と、
からなる自立鍋蓋用受け皿。
【請求項２】
前記傾斜部の上部に前記本体部の長手方向と交わる方向に向かって傾斜するように形成された上面又は上縁を有する突起が、前記傾斜部の長手方向に沿って複数配置された請求項１に記載の自立鍋蓋用受け皿。
【請求項３】
前記突起の前記長手方向に直交する断面は円弧状である請求項２に記載の自立鍋蓋用受け皿。
【請求項４】
前記傾斜部は前記本体部の前記長手方向に沿った鉛直平面に対称に２箇所設けられるものであって、それぞれの傾斜部の傾斜は対向する傾斜部に向かって下がるように形成される請求項１から３のいずれか１項に記載の自立鍋蓋用受け皿。
【請求項５】
前記本体部の長手方向に沿った少なくとも一端側に上方に立ち上がった、上縁に切り欠きが形成された壁部が設けられる請求項１から４のいずれか１項に記載の自立鍋用受け皿。
【考案の詳細な説明】
【技術分野】
【０００１】
本考案は、自立鍋蓋から落ちる水滴等を受ける受け皿に関する。
【背景技術】
【０００２】
自立式の鍋蓋は、取っ手部分が蓋面に略平行に伸延し脚を形成することで、蓋の側縁と脚の端部とで蓋面が載地面に対して立った状態で保持できるものである。このような鍋蓋はそのまま料理中に鍋蓋を立てた状態に置けるので便利であるが、鍋蓋裏についた水滴などが載地面に流れ落ちるという問題がある。
一方、自立しない一般的な鍋蓋には下記特許文献に示すような、受け皿が数多く提案されており、このような受け皿を用いれば載地面に水滴等が流れ落ちることを防ぐことができる。
【先行技術文献】
【特許文献】
【０００３】
【特許文献１】実開昭５６−１２０１３８号公報
【特許文献２】実用新案出願公告第４３４１号公報
【考案の概要】
【考案が解決しようとする課題】
【０００４】
しかしながら、従来の鍋蓋用の受け皿を、自立鍋蓋に用いると、鍋蓋を支持する構造があって無駄であり、また、このような構造が自立鍋蓋を置く際には邪魔になることも多い。
本考案は、このような問題に鑑みて、自立鍋蓋用専用の受け皿を提供することを課題とする。
【課題を解決するための手段】
【０００５】
上記課題を解決するために、本考案は、次のような構成を有する。
請求項１に記載の考案は、細長い皿状の本体部と、前記本体部上面の長手方向の沿って形成される、上部が前記本体部の長手方向と交わる方向に向かって傾斜するように形成された傾斜部とからなる自立鍋蓋用受け皿である。
請求項２に記載の考案は、前記自立鍋蓋用受け皿において、  前記傾斜部の上部に前記本体部の長手方向と交わる方向に向かって傾斜するように形成された上面又は上縁を有する突起が、前記傾斜部の長手方向に沿って複数配置されたものである。
請求項３に記載の考案は、請求項２に記載の自立鍋蓋用受け皿において、前記突起の前記長手方向に直交する断面を円弧状としたものである。
請求項４に記載の考案は、前記自立鍋蓋用受け皿において、前記傾斜部は前記本体部の前記長手方向に沿った鉛直平面に対称に２箇所設けられるものであって、それぞれの傾斜部の傾斜は対向する傾斜部に向かって下がるように形成されるものである。
請求項５に記載の考案は、前記自立鍋蓋用受け皿において、前記本体部の長手方向に沿った少なくとも一端側に上方に立ち上がった、上縁に切り欠きが形成された壁部が設けられるものである。
【考案の効果】
【０００６】
以上のような構成により、本考案は、次のような効果を奏する。
請求項１に記載の考案は、載地面に置いて、自立鍋蓋の脚が受け皿の外の載地面に位置し、鍋蓋の縁部の一部が受け皿の傾斜部に位置するように置くと、載地面は蓋面に付着した水滴等によって濡れることがなく、また、蓋面に付着した水滴等が受け皿上面に流れても、傾斜部を伝って鍋蓋の接触している縁部よりさらに下方に流れ落ちるので鍋蓋縁部はあまり濡れない状態に保持することができる。
請求項２、３に記載の考案は、傾斜面を突起を配列した形状とすることで、鍋蓋から落ちる水滴等は突起間を流れるので、水滴等をより下方に流れ落ち易くすることができる。
請求項４に記載の考案は、傾斜面が対向するように設けられることで、二方向から自立鍋蓋を置けるので、受け皿の置く方向の自由度を高くすることができる。
請求項５に記載の考案は、壁部の切り欠きに玉杓子の柄や菜箸等を掛けて、先端部を受け皿上面に置くことで、このような自立鍋蓋以外の調理器具の受け皿として利用することができ、このような調理器具の受け皿として用いる際に使い勝手がよい。
【図面の簡単な説明】
【０００７】
【図１】実施形態に係る自立鍋蓋用受け皿の斜視図である。
【図２】（ａ）は実施形態に係る自立鍋蓋用受け皿の正面図であり、（ｂ）は（ａ）のA-A線断面図であり、（ｃ）は（ａ）のB-B線断面図である。
【図３】実施形態に係る自立鍋蓋用受け皿の使用状態を示す斜視図である。
【図４】（ａ）〜（ｃ）は自立鍋蓋用受け皿の他の使用状態を示す斜視図である。
【考案を実施するための形態】
【０００８】
以下、本考案の実施の形態について、図面を参照しながら説明する。
図１に本実施形態に係る自立鍋蓋用受け皿Ｘの斜視図を示す。また、図２（ａ）に自立鍋蓋用受け皿Ｘの正面図を示し、図２（ｂ）に（ａ）のA-A線断面図を示し、図２（ｃ）に（ａ）のB-B線断面図を示す。
自立鍋蓋用受け皿Ｘは本体部１０、傾斜部２０、壁部３０とから構成される。本体部１０は平面視略長方形状の偏平な皿により構成される。
傾斜部２０は本体部１０の長手方向に沿った中心線に対称に２つ設けられる。それぞれの傾斜部は、本体部１０の上面の両長辺のそれぞれに沿うように形成される平面視長方形状の扁平な隆起であり、上端側に長辺側から中心線に向かって下るような傾斜が形成されている。傾斜面には、傾斜が施されたかまぼこ状の突起が長手方向に並ぶように配列されている。
壁部３０は本体部１０の長手方向の両端縁のそれぞれに設けられる若干斜めに広がるように立設された板状部分であり、本体部１０の長辺側上縁両端を囲むように形成されている。壁部３０の一方の上縁には２箇所の切り欠き３０ａ、３０ｂが形成される。切り欠き３０ａ、３０ｂは下方に行くに連れて幅が狭くなるようになっている。また、切り欠き３０ａの方が切り欠き３０ｂよりも幅が大きく形成される。
【０００９】
次に、以上のような構成を有する自立鍋蓋用受け皿Ｘの使用方法について説明する。使用に際しては自立鍋蓋用受け皿Ｘをコンロの脇など、火にかけた鍋から手の届く範囲に置いておく。この状態で鍋に自立鍋蓋で蓋をして調理をする。そして、鍋をかき混ぜる等、蓋を取る必要がある際には、図３に示すように、自立鍋蓋Ｌを蓋の縁部が自立鍋蓋用受け皿Ｘの傾斜部２０上に乗るようにし、脚Ｌａ部分を自立鍋蓋用受け皿Ｘの載地面に接触させて自立鍋蓋Ｌを立てる。この状態において、自立鍋蓋Ｌの裏面に付着している水滴等は、傾斜部２０に接触している方向に流れ落ちて傾斜部２０に到り、傾斜部２０は傾斜しているのでこの傾斜を伝って本体部１０の中央側に溜まることとなる。傾斜部２０にはかまぼこ状の突起が配列されており、傾斜方向に細かな溝が並ぶので表面張力により水滴等はこれら溝を伝うので、水滴等は斜面下方により流れ易くなる。また、この状態から自立鍋蓋Ｌを使用するために取り去ると、水滴はかまぼこ状の突起の最も高い母線から下に流れ落ちるので、再び自立鍋蓋Ｌを自立鍋蓋用受け皿Ｘに置く際に、自立鍋蓋用受け皿Ｘ縁部の接触点である突起の最も高い母線がほとんど濡れていない状態で使用することができる。
【００１０】
また、自立鍋蓋用受け皿Ｘは、自立鍋蓋の受け皿として使用しない場合において、他の棒状部分のある調理器具の受け皿としても使用することができる。具体的には、図４（ａ）に示すように、玉杓子Ｂの受け皿に使用したり、図４（ｂ）に示すようにスクレイパーＳの受け皿に使用したり、菜箸Ｃの受け皿に使用したり等することができる。この際、壁部３０の切り欠き３０ａ、３０ｂに柄等の棒状部分を、全体の重心が本体部１０側に位置するように入れるようにすることで調理器具全体が斜めになり、左右にも動かず安定する。また、玉杓子Ｂの柄や菜箸Ｃの根元側など太い部分に対しては、幅の大きな切り欠き３０ａを利用し、スクレイパーＳの柄のように細い部分に対しては、幅の小さな切り欠き３０ｂを利用するといった使い分けが可能である。
【００１１】
なお、上記実施形態では、傾斜部２０の突起はかまぼこ状に形成しているが、先端が鋭角な突起としたり、薄い板状としたり等適宜変更することができる。
また、上記実施形態では傾斜部２０は対称に２箇所設けているが、１箇所のみにしてもよい。この場合傾斜の幅を広くとることが望ましい。
さらに、壁部に設けられる切り欠きの形状や位置は適宜変更してもよく、また、両壁に切り欠きを設けるようにしてもよい。
【符号の説明】
【００１２】
Ｘ  自立鍋蓋用受け皿
Ｌ  自立鍋蓋
Ｂ  玉杓子
Ｓ  スクレイパー
Ｃ  菜箸
１０  本体部
２０  傾斜部
３０  壁部
３０ａ、３０ｂ  切り欠き
【図１】
0003195213.tif 000003
【図２】
0003195213.tif 000004
【図３】
0003195213.tif 000005
【図４】
0003195213.tif 000006